(57)【要約】【課題】低コスト及び省スペースで、且つ、高い意匠性を備える階段用の手摺及び階段を提供する。【解決手段】手摺１５は、四角形の平面形状を有する合わせガラス１５０と、その２側縁部に固定された一対の縦枠１５４と、上下の縁部に固定され、一対の縦枠１５４の上端部同士及び下端部同士を連結する一対の横枠１５２と、Ｌ字の平面形状を有する一対の補強用部材１５６と、登り桁１３のボルト挿通孔１３ａをそれぞれ挿通する複数のボルト１６２，１６３と、複数のボルト１６２，１６３とそれぞれ螺合する複数のナット１５７，１５８と、を備える。ナット１５７，１５８は、インサートナットであって、縦枠１５４の下端部に埋め込まれた状態で固定されている。そして、ナット１５７，１５８は、側桁１３とは反対側の部分が縦枠１５４の外枠部１５４ｄにより覆われている。【選択図】図３
2019049145.tif 000002
【特許請求の範囲】
【請求項１】
階段の登り桁に固定される手摺において、
それぞれが縦方向に延びる２つの縦縁部、及びそれぞれが横方向に延びる２つの横縁部により規定される四角形の平面形状を有し、透光性を有する面材と、
前記面材における前記２つの縦縁部のそれぞれに固定された一対の縦枠と、
前記面材における前記２つの横縁部のそれぞれに固定され、前記一対の縦枠の上端部同士及び下端部同士を連結する一対の横枠と、
前記縦枠と前記横枠との連結部から、前記縦枠の一部領域に沿って延び、当該縦枠に固定された縦腕部、及び前記横枠の一部領域に沿って延び、当該横枠に固定された横腕部を有し、前記縦枠と前記横枠との結合強度を補強する補強用部材と、
前記登り桁に開けられた複数の貫通孔をそれぞれ挿通可能な複数のボルトと、
前記登り桁と前記一対の縦枠とを固定するために前記複数のボルトとそれぞれ螺合可能な複数の締結部と、
を備え、
前記ボルトの頭部又は前記締結部は、前記登り桁とは反対側から前記縦枠の一部により覆われた状態で、前記一対の縦枠の各下端部に設けられている、
手摺。
【請求項２】
請求項１に記載の手摺であって、
下側の前記横枠の両端と前記一対の縦枠との各結合箇所に前記補強用部材がそれぞれ固定されており、
前記補強用部材の前記横腕部同士は、前記横枠に沿う方向に互いに離間した状態で前記横枠における前記登り桁側を向く面に固定されており、
前記補強用部材の前記横腕部同士が離間した領域における、前記下側の前記横枠における前記登り桁側を向く面は、前記補強用部材における前記登り桁側を向く面よりも前記登り桁から遠い側に配置されており、
前記下側の前記横枠における前記登り桁側を向く面の前記配置により、該手摺を前記登り桁に固定した場合に、前記補強用部材の前記横腕部同士が離間した領域で、前記下側の前記横枠と当該登り桁との間に隙間が空く、
手摺。
【請求項３】
請求項１又は請求項２に記載の手摺であって、
前記面材の厚み方向において、前記下側の前記横枠における前記登り桁側を向く面は、前記面材における前記登り桁側を向く面よりも前記登り桁に近い側に配されており、
前記一対の縦枠の内、少なくとも前記階段の傾斜方向の下側に配置された側の縦枠の下端部には、前記横枠の延びる方向に沿って、当該縦枠の内外を貫通する孔部が開けられている、
手摺。
【請求項４】
請求項３に記載の手摺であって、
前記孔部は、前記下側の前記横枠の上面と同じ高さ位置から、当該高さ位置よりも上側の高さ位置までの領域を含む、
手摺。
【請求項５】
登り桁と、
前記登り桁に固定された複数の段板と、
前記登り桁に固定された複数の手摺と、
を備える階段において、
前記複数の手摺の各々として、請求項１の手摺が採用されている、
階段。
【請求項６】
請求項５に記載の階段であって、
前記複数の手摺の各々では、前記面材の厚み方向において、前記下側の前記横枠における前記登り桁側を向く面は、前記面材における前記登り桁側を向く面よりも前記登り桁に近い側に配されており、
前記複数の手摺の内、少なくとも１つの手摺において、前記一対の縦枠の内、少なくとも前記登り桁の傾斜方向の下側に配置された側の縦枠の下端部には、前記横枠の延びる方向において、当該縦枠の内外を貫通する孔部が開けられており、
前記孔部が開けられた手摺と、当該手摺に対して該階段の傾斜方向の下側に隣接して配置された手摺とは、互いに隣接する前記縦枠同士の間に隙間が空くように配置されている、
階段。
【請求項７】
請求項５又は請求項６に記載の階段であって、
前記複数の手摺の上部に架け渡され、前記複数の手摺を連結する笠木を更に備える、
階段。
【発明の詳細な説明】
【技術分野】
【０００１】
本発明は、階段用の手摺及び階段に関し、特に透光性の面材を有する階段用の手摺の構成に関する。
【背景技術】
【０００２】
建物における階段用の手摺として、透光性の面材を有する、所謂、ガラス手摺が採用される場合がある。特許文献１に階段用のガラス手摺の一例が開示されている。
【０００３】
特許文献１では、平行四辺形をした透光性の面材と、面材の２つの縦縁部及び２つの横縁部のそれぞれに装着された枠部材と、でユニット状に構成された階段用の手摺が開示されている。特許文献１の階段用の手摺は、側桁の上面部に刻設された溝部に嵌め込まれ、釘やビスなどを用い側桁に固定されている。
【０００４】
特許文献１に開示されたような手摺を採用することにより、階段の周辺における優れた採光性が確保することができ、また、優れた意匠性を確保することもできる。
【０００５】
また、特許文献１に開示された手摺では、面材の２つの縦縁部及び２つの横縁部のそれぞれに枠部材が装着されているので、高い強度の面材（例えば、厚みの厚い強化ガラスなど）を用いなくても枠部材による補強により、手摺としての強度が確保される。よって、特許文献１に開示の手摺では、コストの低減を図ることができる。
【先行技術文献】
【特許文献】
【０００６】
【特許文献１】特開２００７−１３８５６３号公報
【発明の概要】
【発明が解決しようとする課題】
【０００７】
しかしながら、特許文献１に開示の手摺では、階段の側桁に溝部を刻設し、当該溝部に手摺の下部を嵌め込む構成としているので、厚みの厚い側桁を採用する必要があり、コストの上昇を招くとともに、厚みの厚い側桁を採用する分だけ広いスペースが必要となる。
【０００８】
また、特許文献１に開示の手摺では、溝部に嵌め込んだ手摺を側桁に対して釘やビスで固定することとしているので、当該釘やビスの頭部が外観に現れてしまい、意匠性の観点から問題を生じる場合がある。
【０００９】
本発明は、上記のような問題の解決を図ろうとなされたものであって、低コスト及び省スペースで、且つ、高い意匠性を備える階段用の手摺及び階段を提供することを目的とする。
【課題を解決するための手段】
【００１０】
本発明の一態様に係る手摺は、階段の登り桁に固定される手摺において、それぞれが縦方向に延びる２つの縦縁部、及びそれぞれが横方向に延びる２つの横縁部により規定される四角形の平面形状を有し、透光性を有する面材と、前記面材における前記２つの縦縁部のそれぞれに固定された一対の縦枠と、前記面材における前記２つの横縁部のそれぞれに固定され、前記一対の縦枠の上端部同士及び下端部同士を連結する一対の横枠と、前記縦枠と前記横枠との連結部から、前記縦枠の一部領域に沿って延び、当該縦枠に固定された縦腕部、及び前記横枠の一部領域に沿って延び、当該横枠に固定された横腕部を有し、前記縦枠と前記横枠との結合強度を補強する補強用部材と、前記登り桁に開けられた複数の貫通孔をそれぞれ挿通可能な複数のボルトと、前記登り桁と前記一対の縦枠とを固定するために前記複数のボルトとそれぞれ螺合可能な複数の締結部と、を備え、前記ボルトの頭部又は前記締結部は、前記登り桁とは反対側から前記縦枠の一部により覆われた状態で、前記一対の縦枠の各下端部に設けられている。
【００１１】
上記態様に係る手摺では、面材の２つの縦縁部及び２つの横縁部のそれぞれに縦枠と横枠とが固定されているので、厚みの厚い強化ガラスなどを面材として用いなくても、手摺の強度が確保できる。よって、上記態様に係る手摺では、厚みの厚い強化ガラスなどを面材として用いる場合に比べて、低コスト化及び省スペース化を図ることができる。
【００１２】
また、上記態様に係る手摺では、縦枠及び横枠に固定される補強用部材を備えているので、手摺の強度を確保しながら縦枠及び横枠のサイズ及び重量などを軽減することも可能である。
【００１３】
また、上記態様に係る手摺では、ボルトと締結部（ナット、タップ孔）との螺合により縦枠を登り桁に対して固定可能とすることとしているので、特許文献１に開示された手摺のように登り桁に手摺を嵌め込むための溝部を刻設する必要がなく、低コスト化及び省スペース化を図るのに優位である。
【００１４】
さらに、上記態様に係る手摺では、ボルトの頭部又は締結部が、登り桁と反対側から縦枠の一部により覆われた状態となっているので、階段の周囲に居るユーザーからボルト及び締結部が見えないようになっている。このため、上記態様に係る手摺では、高い意匠性を奏することができる。
【００１５】
従って、上記態様に係る手摺では、低コスト化及び省スペース化を図ることが可能であり、且つ、高い意匠性を備える。
【００１６】
本発明の別態様に係る手摺は、上記態様であって、下側の前記横枠の両端と前記一対の縦枠との各結合箇所に前記補強用部材がそれぞれ固定されており、前記補強用部材の前記横腕部同士は、前記横枠に沿う方向に互いに離間した状態で前記横枠における前記登り桁側を向く面に固定されており、前記補強用部材の前記横腕部同士が離間した領域における、前記下側の前記横枠における前記登り桁側を向く面は、前記補強用部材における前記登り桁側を向く面よりも前記登り桁から遠い側に配置されており、前記下側の前記横枠における前記登り桁側を向く面の前記配置により、該手摺を前記登り桁に固定した場合に、前記補強用部材の前記横腕部同士が離間した領域で、前記下側の前記横枠と当該登り桁との間に隙間が空く。
【００１７】
上記態様に係る手摺では、一対の補強用部材の横腕部同士が離間し、手摺を登り桁に固定した場合に、補強用部材の横腕部同士が離間した領域において、下側の横枠における登り桁を向く面が、当該登り桁との間に隙間が空くようにしているので、該隙間を通り埃の排出が可能であり、下側の横枠の上面に埃が堆積し難くなる。よって、上記態様に係る手摺では、下側の横枠の上面に埃が堆積し難く、清潔な環境を維持し、高い意匠性を維持するのに優位である。
【００１８】
本発明の別態様に係る手摺は、上記態様であって、前記面材の厚み方向において、前記下側の前記横枠における前記登り桁側を向く面は、前記面材における前記登り桁側を向く面よりも前記登り桁に近い側に配されており、前記一対の縦枠の内、少なくとも前記階段の傾斜方向の下側に配置された側の縦枠の下端部には、前記横枠の延びる方向に沿って、当該縦枠の内外を貫通する孔部が開けられている。
【００１９】
上記態様に係る手摺では、横枠の延びる方向に沿って、縦枠の内外を貫通する孔部が開けられている。ここで、縦枠の下端部と下側の横枠とが連結される部分では、当該横枠と登り桁との間に補強用部材が介挿され、横枠と登り桁との間に隙間が空いていないが、当該部分の埃は上記孔部を通り外部へと排出させることができる。よって、上記態様に係る手摺では、下側の横枠の上面に埃が堆積し難く、清潔な環境を維持し、高い意匠性を維持するのに更に優位である。
【００２０】
本発明の別態様に係る手摺は、上記態様であって、前記孔部は、前記下側の前記横枠の上面と同じ高さ位置から、当該高さ位置よりも上側の高さ位置までの領域を含む。
【００２１】
上記態様に係る手摺では、上記孔部が、下側の横枠の上面と同じ高さ位置から、当該高さ位置よりも上側の高さ位置までの領域を含むように形成されているので、下側の横枠における孔部の開口部分に埃が残り難い。よって、上記態様に係る手摺では、清潔な環境を維持し、高い意匠性を維持するのに更に優位である。
【００２２】
本発明の一態様に係る階段は、登り桁と、前記登り桁に固定された複数の段板と、前記登り桁に固定された複数の手摺と、を備える階段において、前記複数の手摺の各々として、上記態様に係る手摺が採用されている。
【００２３】
上記態様に係る階段では、上記態様に係る手摺を採用しているので、上述のような手摺が奏する効果をそのまま奏することができる。即ち、上記態様に係る階段では、低コスト及び省スペースで、且つ、高い意匠性を備える。
【００２４】
本発明の別態様に係る階段は、上記態様であって、前記複数の手摺の各々では、前記面材の厚み方向において、前記下側の前記横枠における前記登り桁側を向く面は、前記面材における前記登り桁側を向く面よりも前記登り桁に近い側に配されており、前記複数の手摺の内、少なくとも１つの手摺において、前記一対の縦枠の内、少なくとも前記登り桁の傾斜方向の下側に配置された側の縦枠の下端部には、前記横枠の延びる方向において、当該縦枠の内外を貫通する孔部が開けられており、前記孔部が開けられた手摺と、当該手摺に対して該階段の傾斜方向の下側に隣接して配置された手摺とは、互いに隣接する前記縦枠同士の間に隙間が空くように配置されている。
【００２５】
上記態様に係る階段では、登り桁の傾斜方向に隣接する手摺において、互いに隣接する縦枠同士の間に隙間を空けて配置しているので、複数の手摺を互いに密着して配置した場合と異なり、上記孔部を通り排出された埃を該隙間を通り下方へと落下させることができる。よって、埃が孔部の内部に詰まり難く、清潔な環境を維持でき、且つ、高い意匠性を維持することができる。
【００２６】
本発明の別態様に係る階段は、上記態様であって、前記複数の手摺の上部に架け渡され、前記複数の手摺を連結する笠木を更に備える。
【００２７】
上記態様に係る階段では、上部に架け渡された笠木によって複数の手摺が連結されているので、全体としての強度向上を図ることができる。また、登り桁に固定された複数の手摺の相互において、笠木による連結により手摺の上部が登り桁に沿って直線状に配列され、高い意匠性を奏することができる。
【００２８】
また、上記態様に係る階段では、隣接する縦枠同士の間に隙間が空くように手摺を配置する場合において、笠木を手摺の上部同士の間に架け渡しているので、階段を利用するユーザの手が該隙間で引っ掛かることがない。
【発明の効果】
【００２９】
上記の各態様に係る階段用の手摺及び階段は、低コスト及び省スペースで、且つ、高い意匠性を備える。
【図面の簡単な説明】
【００３０】
【図１】実施形態に係る階段の構成を示す模式分解斜視図である。
【図２】手摺の構成を示す模式分解斜視図である。
【図３】図２におけるＩＩＩ−ＩＩＩ断面の一部分を抜き出して示す模式断面図である。
【図４】側桁、段板、及び蹴込板を示す模式側面図である。
【図５】側桁と手摺とを示す模式上面図である。
【図６】手摺の一部構成を示す模式側面図である。
【図７】隣り合う２つの手摺を示す模式側面図である。
【図８】（ａ）は、変形例１に係る階段の構成を示す模式上面図であり、（ｂ）は、変形例２に係る階段の構成を示す模式上面図である、
【図９】変形例１に係る手摺同士の配置関係を示す模式側面図である。
【発明を実施するための形態】
【００３１】
以下では、本発明の実施形態について、図面を参酌しながら説明する。なお、以下で説明の形態は、本発明の一態様であって、本発明は、その本質的な構成を除き何ら以下の形態に限定を受けるものではない。
【００３２】
［実施形態］
１．階段１の構成
実施形態に係る階段１の構成について、図１を用い説明する。
【００３３】
図１に示すように、本実施形態に係る階段１は、複数の段板１０と、複数の蹴込板１１と、一対の側桁（登り桁）１２，１３と、複数の手摺１４，１５と、笠木１６と、を備える。なお、図１では、２つの手摺１４，１５を図示しているが、３つ以上の手摺が並設された構成としてもよい。
【００３４】
複数の段板１０は、Ｚ方向に所定の間隔を空け、Ｘ方向に並ぶように配置されている。本実施形態に係る階段１では、複数の段板１０のそれぞれは、Ｙ方向の両端で側桁１２，１３に固定されている。
【００３５】
複数の蹴込板１１は、側桁１２，１３の傾斜方向において隣接する段板１０の間の隙間を塞ぐ板であって、Ｚ方向（鉛直方向）に配されている。複数の蹴込板１１についても、それぞれにおけるＹ方向の両端が側桁１２，１３に固定されている。
【００３６】
一対の側桁１２，１３は、Ｙ方向において互いに間隔を空けて配置され、当該間隔が階段１の幅である。各側桁１２，１３は、下階と上階とに架け渡され、Ｘ−Ｙ面に対して斜め方向に延びる部材である。
【００３７】
なお、図１に示すように、Ｙ方向手前側の側桁１３には、手摺１４，１５の固定箇所に応じて複数のボルト挿通孔１３ａが開けられている。なお、図１では、図示の都合上、４つのボルト挿通孔１３ａだけを図示しているが、手摺１４に対応した箇所にも４つのボルト挿通孔１３ａが開けられている。
【００３８】
手摺１４，１５は、所謂、ガラス手摺である。手摺１４，１５のそれぞれは、側桁１３の傾斜に沿うように、Ｙ方向からの側面視で平行四辺形をしている。なお、手摺１４，１５の具体的な構成については、後述する。
【００３９】
笠木１６は、手摺１４，１５の上部に架け渡され、手摺１４，１５を連結するように取り付けられる。手摺１４，１５の上部への笠木１６の取付方法は、種々の方法を採用することができるが、例えば、ボルトを用いた方法や接着剤を用いた方法などを採用することができる。
【００４０】
なお、段板１０、蹴込板１１、側桁１２，１３、及び笠木１６の各構成材料としては、木材を用いることもできるし、金属や樹脂などを用いることもできる。
【００４１】
２．手摺１４，１５の構成
手摺１４，１５の構成について、図２を用い説明する。なお、手摺１４と手摺１５とは同一構成を有するので、以下では手摺１５を一例に、その構成について説明する。
【００４２】
図２に示すように、手摺１５は、面材である合わせガラス１５０と、一対の縦枠部１５３，１５４と、一対の横枠部１５１，１５２と、一対の補強用部材１５５，１５６とを有する。
【００４３】
合わせガラス１５０は、Ｚ方向の上辺及び下辺が、側桁１３の傾斜角に沿うように斜め方向となっており、Ｙ方向からの側面視で平行四辺形となっている。換言すると、合わせガラス１５０は、Ｚ方向に延びる２つ縦縁部と、Ｚ方向に交差する方向に延びる横縁部とにより規定される平行四辺形をしている。
【００４４】
一対の縦枠１５３，１５４は、合わせガラス１５０におけるＺ方向に延びる２つの縦縁部のそれぞれに固定された枠部材であり、紙面に垂直な方向での厚みが合わせガラス１５０よりも厚くなっている。なお、以下では、一対の縦枠１５３，１５４において、図２の紙面に垂直な方向で合わせガラス１５０の手前側を内枠部１５３ａ，１５４ａと呼び、合わせガラス１５０の奥側を外枠部と呼ぶ。
【００４５】
一対の横枠１５１，１５２は、合わせガラス１５０の上下の縁部に固定された枠部材であり、一対の縦枠１５３，１５４の上端部同士及び下端部同士を連結する。一対の横枠１５１，１５２についても、紙面に垂直な方向での厚みが合わせガラス１５０よりも厚く、縦枠１５３，１５４と同等の厚みとなっている。なお、以下では、一対の横枠１５１，１５２についても、図２の紙面に垂直な方向で合わせガラス１５０の手前側を内枠部１５２ａと呼び、合わせガラス１５０の奥側を外枠部と呼ぶ。
【００４６】
縦枠１５３におけるＺ方向の下端部には、内枠部１５３ａ（図１において、側桁１３側となる部分）に２つのボルト挿通孔１５３ｂと２つのねじ孔１５３ｃとが開けられている。ねじ孔１５３ｃは、周面にねじ溝が刻まれた孔である。
【００４７】
同様に、縦枠１５４におけるＺ方向の下端部にも、内枠部１５４ａ（図１において、側桁１３側となる部分）に２つのボルト挿通孔１５４ｂと２つのねじ孔１５４ｃとが開けられている。ねじ孔１５４ｃは、周面にねじ溝が刻まれた孔である。
【００４８】
横枠１５２には、縦枠１５３及び縦枠１５４との連結箇所の近傍において、内枠部１５２ａ（図１において、側桁１３側となる部分）に６つのねじ孔１５２ｂが開けられている。ねじ孔１５２ｂは、周面にねじ溝が刻まれた孔である。
【００４９】
補強用部材１５５は、横枠１５２と縦枠１５３との連結箇所からそれぞれに沿って延びる、図２における紙面手前側からの側面視で略逆Ｌ字の形状を有しており、縦枠１５３に沿って延びる縦腕部１５５ｃと、横枠１５２に沿って延びる横腕部１５５ｄとが一体に形成されている。補強用部材１５６についても、図２における紙面手前側からの側面視で略Ｌ字の形状を有しており、縦枠１５４に沿って延びる縦腕部１５６ｃと、横枠１５２に沿って延びる横腕部１５６ｄとが一体に形成されている。
【００５０】
補強用部材１５５には、２つのボルト挿通孔１５５ａと５つのねじ挿通孔１５５ｂとが開けられている。ボルト挿通孔１５５ａ及びねじ挿通孔１５５ｂが開けられている位置は、縦枠１５３におけるボルト挿通孔１５３ｂ及びねじ孔１５３ｃと、横枠１５２におけるねじ孔１５２ｂと、にそれぞれ対応する位置である。
【００５１】
同様に、補強用部材１５６には、２つのボルト挿通孔１５６ａと５つのねじ挿通孔１５６ｂとが開けられている。ボルト挿通孔１５６ａ及びねじ挿通孔１５６ｂが開けられている位置は、縦枠１５４におけるボルト挿通孔１５４ｂ及びねじ孔１５４ｃと、横枠１５２におけるねじ孔１５２ｂと、にそれぞれ対応する位置である。
【００５２】
なお、補強用部材１５５，１５６は、図２では図示を省略するねじによって、縦枠１５３，１５４及び横枠１５２の各内枠部１５３ａ，１５４ａ，１５２ａに固定されている。
【００５３】
３．側桁１３に対する手摺１４，１５の固定
側桁１３に対する手摺１４，１５の固定について、図３及び図４を用い説明する。図３は、図２のＩＩＩ−ＩＩＩ断面の一部を抜き出して示す模式部分断面図であり、図４は、側桁１３におけるボルト挿通孔１３ａの開設位置を示す模式側面図である。
【００５４】
なお、側桁１３に対する手摺１４及び手摺１５の固定構造は同一であるので、以下では側桁１３に対する手摺１５の固定構成を一例に説明する。
【００５５】
図３に示すように、縦枠１５３，１５４及び横枠１５１，１５２のＹ方向の中央部分には、合わせガラス１５０が嵌め込まれている。縦枠１５３，１５４及び横枠１５１，１５２の各中央部分には、溝部１５４ｅ，１５２ｅ（図３では、縦枠１５３及び横枠１５１の各溝部については図示を省略。）が刻設されている。そして、合わせガラス１５０は、これら溝部１５４ｅ，１５２ｅに対して、間にパッキン１６８が介挿された状態で嵌め込まれている。
【００５６】
ここで、縦枠１５３，１５４及び横枠１５１，１５２は、中空部材であって、Ｙ方向での厚みが合わせガラス１５０の厚みよりも厚く、合わせガラス１５０のＹ方向の両面よりもＹ方向の両側に張出している。例えば、縦枠１５４は、Ｙ方向に間隔を空けて並ぶ４つの壁部１５４１，１５４２，１５４３，１５４４を有している。そして、内枠部１５４ａにおいては、壁部１５４１と壁部１５４２との間に空間が開けられており、外枠部１５４ｄも同様に、壁部１５４３と壁部１５４４との間に空間が開けられている。
【００５７】
縦枠１５３，１５４の下端部には、内枠部１５３ａ，１５４ａ（図３では、縦枠１５３の内枠部１５３ａについては、図示を省略。）の内方空間に、各々２つのナット１５７，１５８が収容されている。ナット１５７，１５８は、所謂、インサートナットであって、内枠部１５４ａにおける壁部１５４１と壁部１５４２との間の空間の、ボルト挿通孔１５４ｂの奥側となる箇所に収容され、壁部１５４１の内側面に固定されている。
【００５８】
また、縦枠１５４の下端部に開けられたねじ孔１５４ｃ、及び横枠１５２に開けられたねじ孔１５２ｂに対して、補強用部材１５６のねじ挿通孔１５６ｂを挿通するねじ１５９，１６０，１６１が螺合している。当該螺合により、縦枠１５４及び横枠１５２に対して、補強用部材１５６が固定されている。
【００５９】
なお、縦枠１５３及び横枠１５２に対する補強用部材１５５の固定形態も同様である。
【００６０】
縦枠１５３，１５４及び横枠１５２に対して補強用部材１５５，１５６が固定された状態の手摺１５は、補強用部材１５５，１５６が縦枠１５３，１５４及び横枠１５２と側桁１３とで挟まれる状態で配置され、側桁１３のボルト挿通孔１３ａを挿通するボルト１６２，１６３をナット１５７，１５８に螺合させることで側桁１３に固定されている。
【００６１】
ここで、図３に示すように、ボルト挿通孔１３ａは側桁１３の内側面１３ｃから外側面１３ｂまで挿通するように設けられており、ボルト１６２，１６３は、その頭部が側桁１３の内側面１３ｃの側に残るようにボルト挿通孔１３ａを挿通している。
【００６２】
図３に示すように、ボルト１６２，１６３には、平ワッシャ１６４，１６５とスプリングワッシャ１６６，１６７とが装着された状態でナット１５７，１５８に螺合される。
【００６３】
なお、図４に示すように、ボルト挿通孔１３ａは、段板１０のＺ方向下方であって、蹴込板１１のＸ方向奥側に開けられている。このため、ボルト１６２，１６３は、階段１を昇降するユーザー及び階段１の周囲に居るユーザーが見えないようになっている。
【００６４】
また、図３に示すように、縦枠１５４の内枠部１５４ａの内方空間に収容されナット１５７，１５８は、内枠部１５４ａの壁部１５４２と、側桁１３とは反対側、即ち、Ｙ方向左側が縦枠１５４の外枠部１５４ｄの壁部１５４３，１５４４と、で覆われている。これにより、ナット１５７，１５８及びこれに螺合されるボルト１６２，１６３等は、階段１の周りに居るユーザーには見えないようになっている。
【００６５】
図３では図示を省略している、縦枠１５３の内枠部１５３ａの内方空間にも２つのナットが収容され固定されているが、これらのナットについても、縦枠１５３の内枠部における合わせガラス１５０側の壁部と外枠部の２つの壁部とによって覆われており、階段１の周りに居るユーザーには見えないようになっている。
【００６６】
４．側桁１３に対する手摺１４，１５の横枠の配置
側桁１３に対する手摺１４，１５の横枠の配置について、図５を用い説明する。側桁１３に対する手摺１４の横枠の配置と、側桁１３に対する手摺１５の横枠１５２の配置とは同一であるので、以下では、側桁１３に対する手摺１５の横枠１５２の配置を一例に説明する。
【００６７】
図５は、側桁１３に対する手摺１５の横枠１５２の配置を示す模式上面図であって、便宜的に、横枠１５１を省略して図示している。
【００６８】
図５に示すように、手摺１５の横枠１５２と側桁１３との間には、Ｘ方向の右側（側桁１３の傾斜方向の上側）に補強用部材１５５が介挿され、Ｘ方向の左側（側桁１３の傾斜方向の下側）には補強用部材１５６が介挿されている。
【００６９】
補強用部材１５５と補強用部材１５６とは、横腕部１５５ｄと横腕部１５６ｄとが（図２を参照。）、互いにＸ方向に離間するように配されている。このため、補強用部材１５５と補強用部材１５６とが離間した領域（矢印Ａで示す領域）には、側桁１３の外側面１３ｂと横枠１５２の内側面１５２ｇとの間に隙間ＳＰ１が空いている。
【００７０】
なお、上述のように、手摺１４，１５においては、合わせガラス１５０における側桁１３側となる面が、横枠１５２における側桁１３側となる内側面１５２ｇよりも側桁１３とは反対側に位置するため、補強用部材１５５，１５６が介挿された部分では、合わせガラス１５０と側桁１３との間に、横枠１５２における内枠部１５２ａの上面が配置されることになる。
【００７１】
本実施形態に係る階段１では、上記のように合わせガラス１５０と側桁１３との間に、横枠１５２における内枠部１５２ａの上面が配置されることになる場合であっても、合わせガラス１５０と側桁１３との間に入った埃が、隙間ＳＰ１を通り下方に排出される。
【００７２】
なお、上述のように、側桁１３と手摺１４の横枠との間にも上記同様の隙間が空いているので、手摺１４における合わせガラスと側桁１３との間に侵入した埃についても、隙間を通り下方に排出される。
【００７３】
５．手摺１４，１５の縦枠１４４，１５４に開けられた孔部
本実施形態では、手摺１４，１５の縦枠１４４，１５４に孔部が開けられている。この孔部について、図６を用い説明する。なお、図６では、手摺１４の一部を図示し、手摺１５については手摺１４と同一構成のため図示を省略し、以下での説明も省略する。また、図６における二点鎖線で囲んだ部分には、手摺１４における縦枠１４４及び横枠１４２を上方（Ｚ方向上側）から平面視して図示している。
【００７４】
図６に示すように、手摺１４において、縦枠１４４の下端部には、横枠１４２が延びる方向に沿って、枠の内外を貫通する孔部１４４ｆが開けられている。孔部１４４ｆは、その下端部が横枠１４２の上面と略面一となるように設けられている。換言すると、孔部１４４ｆは、横枠１４２の上面と同じ高さ位置から、当該高さ位置よりもＺ方向上側の位置までの領域を含むよう形成されている。
【００７５】
図６の二点鎖線で囲んだ部分に示すように、手摺１４をＺ方向上方から見た場合において、手摺１４における縦枠１４４が配置されたコーナー部分は、側桁１３との間に補強用部材１４６が介挿され、横枠１４２と側桁１３との間に隙間が存在しない。なお、図６の二点鎖線で囲んだ部分においても、手摺１４におけるＺ方向上側の横枠を省略している。
【００７６】
上記のように横枠１４２と側桁１３との間に隙間が存在しない手摺１４のコーナー部分においては、当該部分に侵入した埃は孔部１４４ｆを通り外部に排出される（矢印Ｂ）。
【００７７】
６．手摺１４，１５の配置形態
階段１における手摺１４，１５の配置形態について、図７を用い説明する。図７は、手摺１４，１５の配列形態を示す模式側面図である。
【００７８】
図７に示すように、手摺１４と手摺１５とは、側桁１３に沿って並んだ状態で配置される。そして、手摺１４と手摺１５とは、縦枠１４４と縦枠１５３とが間隔を空けた状態で配置されている。
【００７９】
具体的には、図７の二点鎖線で囲んだ部分に示すように、手摺１４の縦枠１４４と手摺１５の縦枠１５３とは、間隔Ｇを空けて配されている。これにより、手摺１４と手摺１５との間には、矢印Ｃで示すように、隙間ＳＰ２が空いている。この隙間ＳＰ２には、上述の縦枠１４４の下端部に開けられた孔部１４４ｆの開口が臨んでいる。
【００８０】
図７の二点鎖線で囲んだ部分に示すように、手摺１４の縦枠１４４に開けられた孔部１４４ｆを通り矢印Ｄ１のように隙間ＳＰ２へと排出された埃は、手摺１４と手摺１５との間の隙間ＳＰ２を通り矢印Ｄ２のようにＺ方向下方へと排出される。
【００８１】
７．効果
本実施形態に係る手摺１４，１５では、合わせガラス（面材）１４０，１５０のそれぞれにおける、２つの縦縁部及び２つの横縁部に縦枠１４４，１５３，１５４と横枠１４２，１５１，１５２とが固定されているので、厚みの厚い強化ガラスなどを面材として用いなくても、手摺１４，１５の強度が確保できる。よって、本実施形態に係る手摺１４，１５では、厚みの厚い強化ガラスなどを面材として用いる場合に比べて、低コスト化及び省スペース化を図ることができる。
【００８２】
また、上記実施形態に係る手摺１４，１５では、縦枠１４４，１５３，１５４及び横枠１４２，１５２に固定される補強用部材１５５，１５６を備えているので、手摺１４，１５の強度を確保しながら縦枠１４４，１５３，１５４及び横枠１４２，１５２のサイズ及び重量などを軽減することができる。
【００８３】
また、本実施形態に係る手摺１４，１５では、側桁（登り桁）１３と縦枠１４４，１５３，１５４とをボルト１６２，１６３とナット１５７，１５８との螺合により固定することとしているので、特許文献１に開示された手摺のように登り桁に手摺を嵌め込むための溝部を刻設する必要がなく、コスト面及びスペース面で優位である。
【００８４】
さらに、本実施形態に係る手摺１４，１５では、ナット１５７，１５８が縦枠１５３，１５４における内枠部１５４ａの下端部に収容されているとともに、当該ナット１５７，１５８が、側桁１３とは反対側の部分が縦枠１５３，１５４の内枠部１５４ａの壁部１５４２及び外枠部１５４ｄの２つの壁部１５４３，１５４４で覆われているので、階段１の周囲に居るユーザーからボルト１６２，１６３及びナット１５７，１５８が見えない。このため、本実施形態に係る手摺１４，１５では、高い意匠性を奏することができる。
【００８５】
従って、本実施形態に係る手摺１４，１５では、低コスト及び省スペースで、且つ、高い意匠性を備える。
【００８６】
また、本実施形態に係る手摺１４，１５では、補強用部材１５５と補強用部材１５６とを、各横腕部１５５ｄ，１５６ｄ同士が互いに離間するように配し、当該離間した領域で横枠１４２，１５２と側桁１３との間に隙間ＳＰ１が空くようにしているので、当該隙間ＳＰ１を通り埃を排出することが可能であり、横枠１４２，１５２の上面に埃が堆積し難くなる。よって、本実施形態に係る手摺１４，１５では、横枠１４２，１５２の上面に埃が堆積し難く、清潔で高い意匠性を維持することができる。
【００８７】
また、本実施形態に係る手摺１４，１５では、縦枠１４４の下端部に、横枠１４２の上面に沿って、縦枠１４４の内外を貫通する孔部１４４ｆが開けられている。このため、縦枠１４４と横枠が連結されるコーナー部分の埃が孔部１４４ｆを通り外部へと排出される。よって、本実施形態に係る手摺１４，１５では、横枠１４２の上面に埃が堆積し難く、清潔で高い意匠性を維持することができる。
【００８８】
また、本実施形態に係る手摺１４，１５では、縦枠１４４の下端部の孔部１４４ｆを、下側の横枠１４２の上面の高さ位置から、当該高さ位置よりもＺ方向上側の高さ位置までの領域を含むように形成しているので、下側の横枠１４２における孔部１４４ｆの開口部分に埃が残り難い。よって、本実施形態に係る手摺１４，１５では、清潔で高い意匠性を維持するのに更に優位である。
【００８９】
また、本実施形態に係る階段１では、上記のような効果を奏することができる手摺１４，１５を採用しているので、上記効果をそのまま奏することができる。即ち、本実施形態に係る階段１では、低コスト及び省スペースで、且つ、高い意匠性を備える。
【００９０】
また、本実施形態に係る階段１では、側桁１３の傾斜方向に隣接する手摺１４，１５において、互いの縦枠１４４，１５３同士の間に隙間ＳＰ２を空けて配置しているので、隣り合う縦枠同士を密着する状態で複数の手摺を配置した場合と異なり、縦枠１４４の孔部１４４ｆを通り排出された埃を該隙間ＳＰ２から下方へと落下させることができる。よって、埃が孔部１４４ｆの内部に詰まり難く、清潔で高い意匠性を維持することができる。
【００９１】
また、本実施形態に係る階段１では、手摺１４，１５の上部に架け渡された笠木１６によって手摺１４，１５が連結されているので、全体としての手摺１４，１５の強度向上を図ることができる。また、側桁１３に固定された手摺１４，１５の相互において、笠木１６による連結により手摺１４，１５の上部が側桁１３に沿って直線状に配列され、高い意匠性を奏することができる。
【００９２】
また、上記実施形態に係る階段１では、手摺１４と手摺１５とを、互いの間に隙間ＳＰ２が空くように配置しているが、その上部に笠木を架け渡しているので、階段１を利用するユーザーが隙間ＳＰ２で手が引っ掛かるということが生じない。
【００９３】
［変形例１］
変形例１に係る階段２の構成について、図８（ａ）及び図９を用い説明する。図８（ａ）は、変形例１に係る階段２の構成を示す模式上面図であり、図９は、変形例１における手摺４４，４５，５４，５５の配置関係を示す模式側面図である。
【００９４】
図８（ａ）に示すように、本変形例に係る階段２は、踊り場２７を挟み複数の段板２０が設けられている。そして、階段２は、踊り場２７でＵ字状に折り返された、所謂、折り返し階段である。
【００９５】
図８（ａ）に示すように、手摺は折り返しの内側に設けられており、当該手摺の上に笠木２６，２８が固定されている。
【００９６】
図９に示すように、階段２に設けられた手摺４４，４５，５４，５５を側方から見るとき、階段２の傾斜に沿って手摺４４，４５，５４，５５が配置されている。そして、折り返し部分において、手摺４４と手摺５５とは、側面視で重なる部分を有する（矢印Ｅで示す部分）。
【００９７】
このように、折り返し階段である本変形例の階段２では、側面視で手摺４４と手摺５５とが重なる部分を有するが、手摺４４，４５，５４，５５が上記実施形態に係る手摺１４，１５と同一の構成を採用するので、面材として厚みの厚い強化ガラスなどを用いなくてもよく、手摺４４，４５，５４，５５の厚みを薄く抑えることができる。よって、本変形例に係る階段２では、図８（ａ）に示すＹ方向のサイズを小さく抑えることが可能となる。
【００９８】
なお、本変形例に係る手摺４４，４５，５４，５５については、上記実施形態に係る手摺１４，１５と同一の構成を採用するので、上記同様の効果を奏することができる。
【００９９】
［変形例２］
変形例２に係る階段３の構成について、図８（ｂ）を用い説明する。図８（ｂ）は、変形例２に係る階段３の構成を示す模式上面図である。
【０１００】
図８（ｂ）に示すように、本変形例に係る階段３は、Ｘ方向に並ぶように配された複数の段板３０と、それぞれが三角形あるいは台形をした複数の段板３７とを有する、所謂、回り階段である。そして、階段３でも、手摺が折り返しの内側に設けられており、当該手摺の上に笠木３６，３８が固定されている。
【０１０１】
図示を省略するが、本変形例に係る階段３においても、側面視において、手摺同士が一部重なる部分が存在する（図９を参照）。このような構成でも、上記同様に、本変形例における手摺も上記実施形態に係る手摺１４，１５と同一の構成を採用するので、面材として厚みの厚い強化ガラスなどを用いなくてもよく、手摺の厚みを薄く抑えることができる。よって、本変形例に係る階段３でも、図８（ｂ）に示すＹ方向のサイズを小さく抑えることが可能となる。
【０１０２】
なお、本変形例に係る手摺については、上記実施形態に係る手摺１４，１５と同一の構成を採用するので、上記同様の効果を奏することができる。
【０１０３】
［その他の変形例］
上記実施形態及び変形例１，２では、手摺１４，１５，４４，４５，５４，５５における面材の一例として合わせガラス１４０，１５０を採用することとしたが、本発明は、これに限定を受けるものではない。透光性を有する面材であれば種々の材料のものを採用することができる。例えば、アクリルやポリカーボネートなどの樹脂材料からなる面材を採用することもできる。また、所謂、透明ディスプレイを面材として用いることも可能である。
【０１０４】
上記実施形態及び変形例１，２では、手摺１４，１５，４４，４５，５４，５５の上側の横枠１５１の上に笠木１６，２６，２８，３６，３８を固定することとしたが、本発明は、これに限定を受けるものではない。例えば、各横枠の側面側に笠木を固定することとしてもよい。また、笠木を固定することなく、隣り合う手摺の縦枠や横枠同士を金具などで連結することとしてもよい。
【０１０５】
上記実施形態及び変形例１，２では、側面視で平行四辺形の手摺１４，１５，４４，４５，５４，５５を採用することとしたが、本発明は、これに限定を受けるものではない。例えば、側面視で正方形や長方形、さらには台形などの手摺を採用することもできる。
【０１０６】
上記実施形態及び変形例１，２では、一対の側桁１２，１３を有する階段を一例として採用することとしたが、本発明は、これに限定を受けるものではない。例えば、一対のささら桁を有する階段に本発明の構成を適用する場合にも、上記と同じ効果を得ることができる。
【０１０７】
上記実施形態及び変形例１，２では、縦枠１４４，１５３，１５４及び横枠１４２，１５２の接合強度補強用として補強用部材１４６，１５５，１５６をねじ１５９〜１６１で固定することとしたが、固定方法に関して、本発明は、これに限定を受けるものではない。例えば、溶接やろう付などで接合することとしてもよい。
【０１０８】
上記実施形態及び変形例１，２では、側桁１３と縦枠１４４，１５３，１５４及び横枠１４２，１５２との間に補強用部材１４６，１５５，１５６を挿入する形態を採用することとしたが、本発明、これに限定を受けるものではない。例えば、補強用部材を縦枠や横枠の内方空間に収容した構造を採用することもできる。
【０１０９】
上記実施形態及び変形例１，２では、手摺１４，１５，４４，４５，５４，５５における縦枠１４４，１５３，１５４の内方空間にナット１５７，１５８を収容することとしたが（インサートナットを採用することとしたが）、本発明は、これに限定を受けるものではない。例えば、ボルトの頭部を手摺における縦枠に埋め込んだ状態で固定し、側桁の裏側にナットが配される構成とすることもできる。この場合においても、ボルトの頭部の外側（側桁とは反対側）が縦枠の内枠部及び外枠部の壁部で覆われる状態とすることで、上記同様の効果を得ることができる。
【０１１０】
また、ナットについては、必須の構成部材ではない。即ち、縦枠又は横枠に対して、ボルトと螺合するねじ孔を設けておくことも可能である。
【０１１１】
上記実施形態及び変形例１，２では、手摺１４，１５，４４，４５，５４，５５における縦枠１４４の下端部に孔部１４４ｆを設け、当該孔部１４４ｆを通して埃を排出することとしたが、本発明は、これに限定を受けるものではない。例えば、補強用部材に溝部を刻設することとしても同様の効果を奏することができる。ただし、補強の部材としての強度を考慮して溝部のサイズなどを規定することとなる。
【０１１２】
また、孔部は、必ずしも横枠が延びる方向に沿って貫通させる必要はない。例えば、下側の横枠に対して、縦枠が延びる方向に沿って貫通する孔部を設けることとしてもよい。
【０１１３】
上記実施形態及び変形例１，２では、図３を用い説明したように、合わせガラス１５０を縦枠１５３，１５４及び横枠１５１，１５２における厚み方向の中心部分に配することとしたが、本発明は、これに限定受けるものではない。合わせガラスなどの面材を登り桁側にオフセット配置してもよいし、逆に登り桁とは反対側にオフセット配置してもよい。
【０１１４】
上記実施形態及び変形例１，２では、補強用部材１５５，１５６として平面視で略Ｌ字形状の部材を採用することとしたが、本発明は、これに限定を受けるものではない。例えば、平面視で三角形の部材を採用することもできる。
【０１１５】
上記実施形態及び変形例１，２では、一対の側桁１２，１３の内の一方の側桁１３に対して手摺１４，１５，４４，４５，５４，５５を取り付けることとしたが、本発明では、これに限定を受けるものではない。即ち、両側の側桁に対してそれぞれ手摺を取り付けることとしてもよい。
【符号の説明】
【０１１６】
１，２，３  階段
１０，２０，３０  段板
１２，１３  側桁（登り桁）
１３ｂ  外側面
１４，１５，４４，４５，５４，５５  手摺
１６，２６，２８，３６，３８  笠木
１４０，１５０  合わせガラス（面材）
１４２，１５１，１５２  横枠
１４４，１５３，１５４  縦枠
１４４ｆ  孔部
１４６，１５５，１５６  補強用部材
１５５ｃ，１５６ｃ  縦腕部
１５５ｄ，１５６ｄ  横腕部
１５７，１５８  インサートナット（締結部）
１５４ａ  内枠部（挟持部）
１５４ｄ  外枠部
１６２，１６３  ボルト
１５４１，１５４４  外壁部
１５４２，１５４３  内壁部
ＳＰ１，ＳＰ２  隙間
【図１】
2019049145.tif 000003
【図２】
2019049145.tif 000004
【図３】
2019049145.tif 000005
【図４】
2019049145.tif 000006
【図５】
2019049145.tif 000007
【図６】
2019049145.tif 000008
【図７】
2019049145.tif 000009
【図８】
2019049145.tif 000010
【図９】
2019049145.tif 000011